(57)【要約】      （修正有）【課題】昼夜を問わず立入禁止区域であることを明示することができ、地上からも視認することができ、また、強い風に煽られても落下しないようにした立入禁止表示器を提供する。【解決手段】工事作業者に対して安全確保の目的から現場の立入禁止区域を明示する警告用旗２が取り付けられた立入禁止表示器１において、警告用旗２を取り付ける旗竿３が、その軸方向に添って所定間隔で配列された発光ダイオード４を内蔵した透光性パイプ５で形成された旗取付部３Ａと、発光ダイオード点灯用の電池及び点灯回路を内蔵したグリップ部３Ｂとからなり、そのグリップ部３Ｂの手元側端部に、任意の構築物に対して旗竿３を固定するクランプ９を設けた。【選択図】図１
0003144280.tif 000002
【実用新案登録請求の範囲】
【請求項１】
工事作業者に対して安全確保の目的から現場の立入禁止区域を明示する警告用旗が取り付けられた立入禁止表示器において、
警告用旗を取り付ける旗竿が、その軸方向に沿って所定間隔で配列された発光ダイオードを内蔵した透光性パイプで形成された旗取付部と、発光ダイオード点灯用の電池及び点灯回路を内蔵したグリップ部とからなり、該グリップ部の手元側端部に、任意の構築物に対して旗竿を固定するクランプが設けられたことを特徴とする立入禁止表示器。
【請求項２】
前記クランプで構築物に固定した旗竿をさらに構築物に緊縛固定するロープを前記旗竿又はクランプに設けることにより、クランプとロープの二重の固定手段を有する請求項１記載の立入禁止表示器。
【請求項３】
前記クランプは、チャネル材で構成されるフレームの一方のフランジが固定顎に形成され、他方のフランジに螺合される操作ネジの先端が可動顎に形成されたネジクランプである請求項１又は２記載の立入禁止表示器。
【請求項４】
前記グリップ部の手元側端部外周面に雄ネジが形成され、これに螺合される雌ネジを形成したパイプ材が、前記クランプのフレームに設けられた請求項３記載の立入禁止表示器。
【請求項５】
前記警告用旗が透光性樹脂シートで形成され、その取付元が透光性パイプに外装される筒形状に溶着形成された請求項１乃至４いずれか記載の立入禁止表示器。
【請求項６】
前記旗取付部となる透光性パイプの両端に、警告用旗の脱落を防止する大径部が形成されて成る請求項１乃至５いずれか記載の立入禁止表示器。
【請求項７】
前記警告用旗には、これを透光性パイプに巻き付けたときに巻付終端となる部分の裏面側と、これに対向する巻付中間部の双方に、互いに係止される面状ファスナが貼り付けられて成る請求項１乃至６いずれか記載の立入禁止表示器。
【考案の詳細な説明】
【技術分野】
【０００１】
本考案は、工事作業者に対して安全確保の目的から現場の立入禁止区域を明示するために使用する立入禁止表示器に関する。
【背景技術】
【０００２】
電線工事、水道工事、建築工事、土木工事などにおいては、危険箇所で作業せざるを得ない場合に、作業者の安全確保のため立入禁止区域に赤色旗などの警告表示をするようにしている。
例えば、鉄塔に懸架された高圧送電線などの架空送電線路のメンテナンスは、支持物、碍子、電線などで構成する電気工作物の機能の維持・管理、故障の未然防止、故障発生時の迅速な復旧を目的として、定期的に巡視・点検を実施し、必要に応じて補修作業を行っている。
【０００３】
一般の高圧送電用鉄塔は、図４に示すように、鉄塔４１の左右両側に３本一組の三相交流用高圧送電線４２Ａ…、４２Ｂ…が一組ずつ、合計二組６本懸架されている。
高圧送電線はそれぞれの組ごとに電気が流れる送電回線と電気を流さない停電回線とすることができ、メンテナンス工事を行う場合においては、作業を行う側の電線のみを停電回線とし、他方は送電回線としている。
【０００４】
例えば、図４左側の送電線４２Ａのメンテナンス作業を行う場合は、感電事故を防止するため送電線４２Ａを停電回線とし、鉄塔４１に配された梯子４３から右側の送電回線４２Ｂ側に立ち入らないように、梯子４３の右側に沿って所定高さの位置Ｐに、図５に示すような赤色の立入禁止表示器５１を固定するようにしている。
この立入禁止表示器５１は、旗竿５２の先端側に赤色の警告用旗５３を取り付け、手元側端部にゴム製の固定用ロープ５４が取り付けられている。
この立入禁止表示器５１を図６に示すように、鉄塔４１のアングル材５５に固定する場合は、旗竿５２の手元側をアングル材５５に押し当てた状態で、固定用ロープ５４を引っ張って伸ばしながらアングル材５５に巻き付け、最後に旗竿５２の手元側端部に引っ掛けるようにしている。
【０００５】
しかしながら、送電線のメンテナンス作業は夜間に行うこともあり、昼間作業であれば赤色旗のみで十分であるが、夜間作業においてはヘルメットランプのみが頼りとなるため、赤色旗を視認し難いという問題があった。
【０００６】
そこで、夜間工事の際には、赤色旗に替え、図５（ｂ）に示すように、パイプ材６１の先端に自転車用テールランプなどの発光器６２を固定した立入禁止表示器６３を用いて、同様に使用している。
これによれば、夜間に視認し易くはなるものの、夜間作業用と昼間作業用の二種類が必要になるだけでなく、発光器６２がパイプ材６１から出っ張って取り付けられているため、他の資材と共に保管するときに、発光器６２に他の資材がぶつかったり、資材の中から取り出そうとした場合に発光器６２が引っ掛ったりして壊れやすいという問題があった。
また、いずれの場合も、ゴム製の固定用ロープのみで固定しているため、ゴムが劣化したり強風に煽られたりしてロープが切れたときは、立入禁止表示器５１、６３がアングル材５５から外れて落下するおそれがあった。
【０００７】
さらに、夜間作業開始時には、必要本数の立入禁止表示器６３を持った作業者が梯子４３を上りながら設置することとしているが、鉄塔４１上で作業者が見易いように発光器６２を上向きに取り付けると下向きには発光されないので、設置状況を地上から監督者が確認することができない。
【考案の開示】
【考案が解決しようとする課題】
【０００８】
そこで本考案は、昼夜を問わず立入禁止区域であることを明示することができるだけでなく地上からも視認することができ、また、強い風に煽られても落下しないように鉄塔などの構築物に確実に固定することができるようにすることを技術的課題としている。
【課題を解決するための手段】
【０００９】
この課題を解決するために、請求項１の考案は、工事作業者に対して安全確保の目的から現場の立入禁止区域を明示するために使用する立入禁止表示器において、警告用旗を取り付ける旗竿が、その軸方向に添って所定間隔で配列された発光ダイオードを内蔵した透光性パイプで形成された旗取付部と、発光ダイオード点灯用の電池及び点灯回路を内蔵したグリップ部とからなり、該グリップ部の手元側端部に、任意の構築物に対して旗竿を固定するクランプが設けられたことを特徴としている。
請求項２の立入禁止表示器は、クランプで構築物に固定した旗竿をさらに構築物に緊縛固定するロープを前記旗竿又はクランプに設けることにより、クランプとロープの二重の固定手段を有している。
請求項３の立入禁止表示器は、クランプが、チャネル材で構成されるフレームの一方のフランジを固定顎に形成し、他方のフランジに螺合される操作ネジの先端を可動顎に形成したネジクランプで構成されている。
請求項４の立入禁止表示器は、グリップ部の手元側端部外周面に雄ネジが形成され、これに螺合される雌ネジを形成したパイプ材が前記クランプのフレームに設けられて成る。
請求項５の立入禁止表示器は、警告用旗が透光性樹脂シートで形成され、その取付元が透光性パイプに外装される筒形状に溶着形成されて成る。
請求項６の立入禁止表示器は、旗取付部となる透光性パイプの両端に、警告用旗の脱落を防止する大径部が形成されて成る。
請求項７の立入禁止表示器は、警告用旗を透光性パイプに巻き付けたときに巻付終端となる部分の裏面側と、これに対向する巻付中間部の双方に、互いに係止される面状ファスナが貼り付けられて成る。
【考案の効果】
【００１０】
本考案に係る立入禁止表示器は旗竿に警告用旗が設けられているので、昼間作業において、作業者は警告用旗を視認することにより立入禁止区域であることを容易に確認することができる。
また、旗取付部となる透光性パイプには発光ダイオードが内蔵されており、これを点灯させることにより旗取付部が発光するので、透光性パイプを中心に３６０度方向に発光し、夜間作業時に地上からも鉄塔上からでも容易に視認することができる。
さらに、グリップ部の手元側端部に設けられたクランプで任意の構築物に対して旗竿を固定することができるので、風に煽られても落下することがない。
特に、請求項３に記載されたように、クランプとして、チャネル材で構成されるフレームの一方のフランジを固定顎とし、他方のフランジに螺合される操作ネジの先端を可動顎としたネジクランプを用いればより確実に立入禁止表示器を構築物に固定することができる。
【００１１】
ここで、請求項２に記載されたように、クランプで構築物に固定した旗竿をさらに構築物に緊縛固定するロープを旗竿又はクランプに設けておき、構築物に設置する際にクランプとロープで二重に固定しておけば、何らかの原因でクランプが外れても、立入禁止表示器が落下することがなく、特に、鉄塔などの高所作業の安全性が向上する。
【００１２】
また、請求項４に記載されたように、グリップ部の旗竿手元側端部と、クランプのフレームに設けられたパイプ材とを螺合させれば、両者が確実に固定される。
【００１３】
請求項５に記載されたように、警告用旗として透光性樹脂シートを用いる場合は、その取付元を透光性パイプに外装される筒形状に溶着形成することにより、簡単に組み立てることができる。
このように筒状に溶着形成することで、旗竿となる透光性パイプに対して回転自由となるので警告用旗が旗竿に巻き付かず、警告用旗を鉄塔等に取り付ける警告用旗の向きにかかわらず旗竿から真下に垂下させて広げた状態に設置することができる。
ここで、例えば、旗竿先端に透光性パイプより太いキャップを嵌め、旗竿手元部分先端側を透光性パイプより太く形成するなどして、請求項６に記載されたように、透光性パイプの両端を大径部とすれば、警告用旗の脱落を防止することができる。
【００１４】
さらに、請求項７に記載されたように、警告用旗を透光性パイプに巻き付けたときに巻付終端となる部分の裏面側と、これに対向する巻付中間部の双方に、互いに係止される面状ファスナを設けておけば、警告用旗を透光性パイプに巻き付けて仮止めしておくことができるので、運搬収納時に警告用旗が邪魔になることもない。
【考案を実施するための最良の形態】
【００１５】
本考案は、昼夜を問わず立入禁止区域であることを明示することができるだけでなく地上からも視認することができ、また、強い風に煽られても落下しないように鉄塔などの構築物に確実に固定できるようにするという目的を達成するために、警告用旗を取り付ける旗竿が、その軸方向に添って所定間隔で配列された発光ダイオードを内蔵した透光性パイプで形成された旗取付部と、発光ダイオード点灯用の電池及び点灯回路を内蔵したグリップ部とからなり、そのグリップ部の手元側端部に、任意の構築物に対して旗竿を固定するクランプを設けた。
【００１６】
以下、本考案を図面に基づいて具体的に説明する。
図１は本考案に係る立入禁止表示器の一例を示す説明図、図２はその分解組立図、図３は使用状態を示す説明図である。
【実施例１】
【００１７】
図１に示す立入禁止表示器１は、工事作業者に対して安全確保の目的から現場の立入禁止区域を明示する警告用旗２を旗竿３に設けたものである。
旗竿３は、その軸方向に添って所定間隔で配列された発光ダイオード４を内蔵した透光性パイプ５で形成された旗取付部３Ａと、発光ダイオード点灯用の電池及び点灯回路を内蔵すると共に点灯スイッチ（図示せず）を設けたグリップ部３Ｂとで直線状に形成されている。
なお、旗竿３の先端には、旗取付部３Ａとなる透光性パイプ５より大径のキャップ６が嵌め付けられ、グリップ部３Ｂは旗取付部３Ａに連続する先端側端部３ｂが透光性パイプ５より大径に形成されている。これにより、旗取付部３Ａとなる透光性パイプ５の両端に、警告用旗２の脱落を防止する大径部が形成されている。
【００１８】
警告用旗２は、赤地に白抜文字で「立入禁止」と表示された透光性樹脂シートが用いられ、その取付元２ａが、透光性パイプ５より大径で、且つ、グリップ部３Ｂの先端側端部３ｂやキャップ６より小径の筒形状に溶着形成されている。
これにより、キャップ６を外した状態で、警告用旗２を透光性パイプ５に容易に外装することができ、その後、キャップ６を嵌め付ければ、警告用旗２が風などに煽られても旗竿３から抜け落ちることがない。
また、発光ダイオード４を点灯させたときに、赤地の透光性樹脂シートで形成された警告用旗２を透過して光が周囲に照射されるので、赤色光が発せられる。
なお、本考案はこれに限らず、透光性パイプ５を赤色透明とし、警告用旗２の取付元２ａのみを無色透明の筒状としたり、警告用旗２の取付元２ａを全長に亘って筒状とするのではなく部分的に装着用の環状帯を設けたりしても良い。
【００１９】
さらに、警告用旗２には、これを透光性パイプ５に巻き付けたときに巻付終端２ｂとなる部分の裏面側と、これに対向する巻付中間部２ｃの双方に、互いに係止される面状ファスナ７、８が貼り付けられており、警告用旗２を透光性パイプ５に巻き付けて仮止めできるようになっている。
【００２０】
また、旗竿３の手元側端部には、鉄塔など任意の構築物に対して旗竿３を固定するクランプ９が設けられている。
このクランプ９は、チャネル材で構成されるフレーム１０の一方のフランジ１１Ａが固定顎１２Ａに形成され、他方のフランジ１１Ｂに螺合される操作ネジ１３の先端が可動顎１２Ｂに形成されたネジクランプで構成されている。
フレーム１０の固定顎１２Ａとなるフランジ１１Ａには、旗竿３に連結固定されるパイプ材１４が一体的に形成されている。
旗竿３のグリップ部３Ｂの手元側端部外周面には雄ネジが形成されると共に、パイプ材１４の内周面にはこれに螺合する雌ネジが形成され、これにより、旗竿３の手元側端部にクランプ９を確実に固定することができるようになっている。
【００２１】
また、クランプ９で構築物に固定した旗竿をさらに構築物に緊縛固定するロープ１５を旗竿３又はクランプ９に設けることにより、クランプ９とロープ１５の二重の固定手段を有している。
本例では、グリップ３Ｂとクランプ９の双方にロープ通し孔１６及び１７が形成され、ゴムのような伸縮性を有しない非伸縮性ロープ１５の一端がグリップ３Ｂのロープ通し孔１６に結び付けられ、他端側が、アングル材２１に巻き付けられた後、操作ネジ１２のハンドル部１２ａを通して、クランプ９のロープ通し穴１７に結び付けられている。
なお、クランプ９の操作ネジ１３のハンドル部１３ａはリング状に形成され、構築物を緊縛したロープ１５を掛け止めることができるようになっている。
【００２２】
以上が本考案の一構成例であり、次にその作用について図３を伴って説明する。
まず、構築物としての鉄塔を構成するアングル材２１の任意の位置に立入禁止表示器１を取り付ける場合、クランプ９の操作ネジ１３を操作することによりその固定顎１２Ａと可動顎１２Ｂを拡げて、その間にアングル材２１の一辺を挿し入れ、操作ネジ１３を操作することによりその固定顎１２Ａと可動顎１２Ｂで挟み付けることにより確実に固定することができるので、風に煽られても落下することがない。
また、クランプ９の固定顎１２Ａ側にパイプ材に適合する円筒凹面状のくぼみ（図示せず）を形成しておけば、可動顎１２Ｂでパイプ材を締め付けるときに、パイプ材がくぼみに嵌るので、固定顎１２Ａのくぼみとパイプ材が面接触して摩擦が大きくなり、しっかりと固定することが出来る。
【００２３】
次いで、グリップ３Ｂのロープ通し孔１６に結び付けられているロープ１５をアングル材２１に巻き付け、操作ネジ１２のハンドル部１２ａを通してクランプ９のロープ通し穴１７に緊縛する。
このように、アングル材２１などの構築物に対して、クランプ９で確実に固定されるだけでなく、さらにロープ１５を用いて二重に固定しているので、何らかの原因でクランプ９が外れるようなことがあっても、立入禁止表示器１が落下することがなく、特に鉄塔などの高所作業において安全性が向上する。
【００２４】
鉄塔に取り付けられた立入禁止表示器１は旗竿３に警告用旗２が設けられているので、昼間作業において、作業者は警告用旗２を視認することにより立入禁止区域であることを容易に確認することができる。
また、旗取付部３Ａとなる透光性パイプ５には発光ダイオード４が内蔵されており、これを点灯させることにより旗取付部３Ａが発光するので、透光性パイプ５を中心に３６０度方向に発光し、夜間作業時に地上からも鉄塔上からでも容易に視認することができる。
【００２５】
さらに、作業終了後に、立入禁止表示器１を回収しながら鉄塔を下りるときは、アングル材２１から外した立入禁止表示器１の警告用旗２を透光性パイプ５に巻き付けて面状ファスナ７、８により止めておくことができるので、運搬収納時に警告用旗２が邪魔になることもない。
【００２６】
なお、上述の説明では、高圧送電線が架設された鉄塔上での作業を行う場合について説明したが、本考案はこれに限るものではなく、任意の工事・作業において適用しうる。
【産業上の利用可能性】
【００２７】
本考案は、電線工事、水道工事、建築工事、土木工事などにおいては、危険箇所で作業せざるを得ない場合などに、作業者の安全確保のため立入禁止区域に警告表示をする用途に適用することができる。
【図面の簡単な説明】
【００２８】
【図１】本考案に係る立入禁止表示器を示す説明図。
【図２】その分解組立図。
【図３】その使用状態を示す説明図。
【図４】高圧送電線を架設した鉄塔を示す説明図。
【図５】従来技術を示す説明図。
【図６】その使用状態を示す説明図。
【符号の説明】
【００２９】
１      立入禁止表示器
２      警告用旗
２ａ    取付元
３      旗竿
３Ａ    旗取付部
３Ｂ    グリップ部
４      発光ダイオード
５      透光性パイプ
６      キャップ
７、８  面状ファスナ
９      クランプ
１０    フレーム
１１Ａ  フランジ
１１Ｂ  フランジ
１２Ａ  固定顎
１２Ｂ  可動顎
１３    操作ネジ
１４    パイプ材
１５    ロープ
【図１】
0003144280.tif 000003
【図２】
0003144280.tif 000004
【図３】
0003144280.tif 000005
【図４】
0003144280.tif 000006
【図５】
0003144280.tif 000007
【図６】
0003144280.tif 000008